【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
複数の情報処理装置と、前記複数の情報処理装置に対して電力供給と冷却のいずれか一方または両方を行う設備とを備える情報処理システムの運用管理方法であって、
前記複数の情報処理装置で実行される予定の作業負荷の各情報処理装置への割当ての組合せに対して、各情報処理装置の消費電力を求め、
前記組合せに対して必要とされる前記設備の消費電力を求め、
予め定めた制約条件または運用ポリシーに適合しつつ、前記各情報処理装置の消費電力と前記設備の消費電力とを含む前記情報処理システムの消費電力を最小化する解を求め、前記最小化する解に基づいて前記組合せの内から一を選択し、
前記選択された組合せに基づいて、前記予定の作業負荷の各情報処理装置への割当てと、前記設備の制御とを行う、情報処理システムの運用管理方法。
【請求項２】
請求項１に記載の情報処理システムの運用管理方法において、
前記制約条件の中には、前記複数の情報処理装置の動作温度条件または許容負荷条件と、前記情報処理システムが前記電力供給を行う設備を備える場合には当該設備の許容電力条件と、前記情報処理システムが前記冷却を行う設備を備える場合には当該設備の区画許容電力条件との内の少なくともいずれか一つの条件が含まれ、
前記運用ポリシーの中には、前記予定の作業負荷の優先度が含まれる、情報処理システムの運用管理方法。
【請求項３】
請求項２に記載の情報処理システムの運用管理方法において、
前記最小化する解を求める際には、前記制約条件または前記運用ポリシーに適合するように、所定の情報処理装置の電力を制限する、情報処理システムの運用管理方法。
【請求項４】
請求項２に記載の情報処理システムの運用管理方法において、
前記最小化する解を求める際には、前記制約条件または前記運用ポリシーに適合するように、所定の情報処理装置の前記作業負荷を軽減する、情報処理システムの運用管理方法。
【請求項５】
請求項３または４に記載の情報処理システムの運用管理方法において、
前記最小化する解を求める際には、近似解法アルゴリズムを用いる、情報処理システムの運用管理方法。
【請求項６】
複数の情報処理装置と、前記複数の情報処理装置に対して電力供給と冷却のいずれか一方または両方を行う設備と、運用管理用計算機とを備える情報処理システムにおいて、前記運用管理用計算機に、
前記複数の情報処理装置で実行される予定の作業負荷の各情報処理装置への割当ての組合せに対して、各情報処理装置の消費電力を求め、
前記組合せに対して必要とされる前記設備の消費電力を求め、
予め定めた制約条件または運用ポリシーに適合しつつ、前記各情報処理装置の消費電力と前記設備の消費電力とを含む前記情報処理システムの消費電力を最小化する解を求め、前記最小化する解に基づいて前記組合せの内から一を選択し、
前記選択された組合せに基づいて、前記予定の作業負荷の各情報処理装置への割当てと、前記設備の制御とを行う処理を実行させるための、情報処理システムの運用管理プログラム。
【請求項７】
請求項６に記載の情報処理システムの運用管理プログラムにおいて、
前記制約条件の中には、前記複数の情報処理装置の動作温度条件または許容負荷条件と、前記情報処理システムが前記電力供給を行う設備を備える場合には当該設備の許容電力条件と、前記情報処理システムが前記冷却を行う設備を備える場合には当該設備の区画許容電力条件との内の少なくともいずれか一つの条件が含まれ、
前記運用ポリシーの中には、前記予定の作業負荷の優先度が含まれる、情報処理システムの運用管理プログラム。
【請求項８】
請求項７に記載の情報処理システムの運用管理プログラムにおいて、
前記最小化する解を求める際には、前記運用管理用計算機に、前記制約条件または前記運用ポリシーに適合するように、所定の情報処理装置の電力を制限する処理を実行させるための、情報処理システムの運用管理プログラム。
【請求項９】
請求項７に記載の情報処理システムの運用管理プログラムにおいて、
前記最小化する解を求める際には、前記運用管理用計算機に、前記制約条件または前記運用ポリシーに適合するように、所定の情報処理装置の前記作業負荷を軽減する処理を実行させるための、情報処理システムの運用管理プログラム。
【請求項１０】
請求項８または９に記載の情報処理システムの運用管理プログラムにおいて、
前記最小化する解を求める際には、前記運用管理用計算機に、近似解法アルゴリズムを用いた処理を実行させるための、情報処理システムの運用管理プログラム。
【請求項１１】
複数の情報処理装置と、前記複数の情報処理装置に対して電力供給と冷却のいずれか一方または両方を行う設備とを備える情報処理システムの運用管理装置であって、
前記複数の情報処理装置で実行される予定の作業負荷の各情報処理装置への割当ての組合せに対して、各情報処理装置の消費電力を求める手段と、
前記組合せに対して必要とされる前記設備の消費電力を求める手段と、
予め定めた制約条件または運用ポリシーに適合しつつ、前記各情報処理装置の消費電力と前記設備の消費電力とを含む前記情報処理システムの消費電力を最小化する解を求め、前記最小化する解に基づいて前記組合せの内から一を選択する手段と、
前記選択された組合せに基づいて、前記予定の作業負荷の各情報処理装置への割当てと、前記設備の制御とを行う手段と、を有する、情報処理システムの運用管理装置。
【請求項１２】
請求項１１に記載の情報処理システムの運用管理装置において、
前記制約条件の中には、前記複数の情報処理装置の動作温度条件または許容負荷条件と、前記情報処理システムが前記電力供給を行う設備を備える場合には当該設備の許容電力条件と、前記情報処理システムが前記冷却を行う設備を備える場合には当該設備の区画許容電力条件との内の少なくともいずれか一つの条件が含まれ、
前記運用ポリシーの中には、前記予定の作業負荷の優先度が含まれる、情報処理システムの運用管理装置。
【請求項１３】
請求項１２に記載の情報処理システムの運用管理装置において、
前記最小化する解を求める際には、前記制約条件または前記運用ポリシーに適合するように、所定の情報処理装置の電力を制限する、情報処理システムの運用管理装置。
【請求項１４】
請求項１２に記載の情報処理システムの運用管理装置において、
前記最小化する解を求める際には、前記制約条件または前記運用ポリシーに適合するように、所定の情報処理装置の前記作業負荷を軽減する、情報処理システムの運用管理装置。
【請求項１５】
請求項１３または１４に記載の情報処理システムの運用管理装置において、
前記最小化する解を求める際には、近似解法アルゴリズムを用いる、情報処理システムの運用管理装置。
【請求項１６】
複数の情報処理装置と、
前記複数の情報処理装置に対して電力供給と冷却のいずれか一方または両方を行う設備と、
前記複数の情報処理装置で実行される予定の作業負荷の各情報処理装置への割当ての組合せに対して、各情報処理装置の消費電力を求める手段と、
前記組合せに対して必要とされる前記設備の消費電力を求める手段と、
予め定めた制約条件または運用ポリシーに適合しつつ、前記各情報処理装置の消費電力と前記設備の消費電力とを含む情報処理システムの消費電力を最小化する解を求め、前記最小化する解に基づいて前記組合せの内から一を選択する手段と、
前記選択された組合せに基づいて、前記予定の作業負荷の各情報処理装置への割当てと、前記設備の制御とを行う手段と、を有する、情報処理システム。
【請求項１７】
請求項１６に記載の情報処理システムにおいて、
前記制約条件の中には、前記複数の情報処理装置の動作温度条件または許容負荷条件と、前記情報処理システムが前記電力供給を行う設備を備える場合には当該設備の許容電力条件と、前記情報処理システムが前記冷却を行う設備を備える場合には当該設備の区画許容電力条件との内の少なくともいずれか一つの条件が含まれ、
前記運用ポリシーの中には、前記予定の作業負荷の優先度が含まれる、情報処理システム。
【請求項１８】
請求項１７に記載の情報処理システムにおいて、
前記最小化する解を求める際には、前記制約条件または前記運用ポリシーに適合するように、所定の情報処理装置の電力を制限する、情報処理システム。
【請求項１９】
請求項１７に記載の情報処理システムにおいて、
前記最小化する解を求める際には、前記制約条件または前記運用ポリシーに適合するように、所定の情報処理装置の前記作業負荷を軽減する、情報処理システム。
【請求項２０】
請求項１８または１９に記載の情報処理システムにおいて、
前記最小化する解を求める際には、近似解法アルゴリズムを用いる、情報処理システム。